(57)【要約】      （修正有）【課題】アンテナ本体の着脱が室内側から簡単に行え、固定状態が確実に保持される。【解決手段】建築物平面部に取付けられ、溝付き円弧状の係止孔を有する取付け用ベース１３にスライドピン１５に取付けられるアンテナ本体３と、アンテナ本体と取付け用ベースとを離反方向に付勢する付勢手段２４とを具備し、前記スライドピンは先端に前記始端孔を挿通可能なフランジ部と、該フランジ部に連続し前記終端孔に嵌合可能な太径部と、該太径部に連続し、前記円弧溝に摺動可能な細径部とを有し、前記フランジ部が前記始端孔の位置で前記アンテナ本体を着脱可能であり、前記細径部が前記円弧溝にある状態で前記アンテナ本体は前記取付け用ベースに対して回転可能であり、前記太径部が前記終端孔に嵌合した状態で前記アンテナ本体が前記取付け用ベースに取付けられた。【選択図】          図１
2007180908.tif 000002
【特許請求の範囲】
【請求項１】
建築物平面部に取付けられ、円弧状の係止孔が形成された取付け用ベースと、前記係止孔に嵌脱可能なスライドピンを有し、該スライドピンを介して前記取付け用ベースに取付けられるアンテナ本体と、該アンテナ本体と前記取付け用ベースとを離反方向に付勢する付勢手段とを具備し、前記係止孔は始端孔と終端孔が円弧溝によって連続した形状を有し、前記スライドピンは先端に前記始端孔を挿通可能なフランジ部と、該フランジ部に連続し前記終端孔に嵌合可能な太径部と、該太径部に連続し、前記円弧溝に摺動可能な細径部とを有し、前記フランジ部が前記始端孔の位置で前記アンテナ本体を着脱可能であり、前記細径部が前記円弧溝にある状態で前記アンテナ本体は前記取付け用ベースに対して回転可能であり、前記太径部が前記終端孔に嵌合した状態で前記アンテナ本体が前記取付け用ベースに取付けられることを特徴とするアンテナ装置。
【発明の詳細な説明】
【技術分野】
【０００１】
本発明は、携帯電話通信システム等に用いられるブースタ装置のアンテナ装置に関し、特に天井、壁面等に設置されるアンテナ装置に関するものである。
【背景技術】
【０００２】
携帯電話通信システム等で通話範囲を確保する為、建築物内、地下街に適宜ブースタ装置が設けられ、更に該ブースタ装置用のアンテナ装置が天井面、壁面に設置される。
【０００３】
前記アンテナ装置には設置する場合の作業の容易性、或はメンテナンス作業の容易性が求められる。
【０００４】
従来のブースタ装置用のアンテナ装置について図１０により説明する。
【０００５】
図１０は室内の天井にアンテナ装置１が設置された場合を示しており、図１０中、２は天井板を示している。
【０００６】
前記アンテナ装置１の内部の詳細については説明を省略するが、該アンテナ装置１はアンテナ本体３が取付けられるベース４、該ベース４から突設された取付け用ボルト５を有している。又、前記ベース４の裏面（取付け面）には前記アンテナ装置１のコネクタ６が突出している。
【０００７】
前記アンテナ装置１を前記天井板２に設置する場合は、該天井板２の設置箇所の中心にアンテナケーブル接続用孔７、及び前記取付け用ボルト５用のボルト孔８を穿設する。
【０００８】
前記天井板２の上面に取付け板９を配設し、前記コネクタ６を前記アンテナケーブル接続用孔７内に位置決めし、又前記取付け用ボルト５を前記ボルト孔８及び前記取付け板９に貫通させる。前記取付け用ボルト５にワッシャ１０を介してナット１１を螺着し、締付け、前記天井板２を前記ベース４と前記取付け板９とで挾込む様にして前記アンテナ装置１を固定する。
【０００９】
該アンテナ装置１の固定後、前記コネクタ６にアンテナケーブル（図示せず）を接続する。前記ナット１１のナット掛け作業、アンテナケーブルの接続作業は、天井裏からの作業となる。
【００１０】
前記アンテナ装置１の設置後、保守、点検を行う場合、天井裏に行き、前記ナット１１を外す。前記アンテナ装置１が落下しない様に、前記アンテナケーブルは接続したままとする。室内に移動し、前記アンテナ装置１を引出し、前記アンテナケーブルを前記コネクタ６から外し、前記アンテナ装置１について所要の作業を行う。
【００１１】
上記した従来のアンテナ装置では、前記アンテナ装置１の取外し、取付け作業でそれぞれ、天井裏でワッシャ１０、ナット１１の着脱作業を行う必要があり、又ナット１１の着脱には工具を必要とし作業性が非常に悪いという問題があった。
【００１２】
尚、着脱容易にしたアンテナ装置としては、特許文献１に示されるものがある。特許文献１に示されるアンテナ装置では、ベース側に係合片が設けられ、アンテナ本体側には引掛け金具を着脱可能とし、引掛け金具と係合片との着脱は、ベースに対するアンテナ本体の回転によって行っている。
【００１３】
特許文献１では、引掛け金具と係合片との係合力の設定が微妙であり、強いとアンテナ本体の着脱が困難となり、弱いとアンテナ本体が簡単に外れてしまう。更に、アンテナ本体とケーブルの連結は、ケーブルを引出した状態で行う為、ケーブルの取扱いが煩雑となっている。
【００１４】
【特許文献１】特開平８−３３０８２２号公報
【発明の開示】
【発明が解決しようとする課題】
【００１５】
本発明は斯かる実情に鑑み、アンテナ装置に於いて、アンテナ本体の着脱が室内側からの作業で簡単に行え、又取付け状態ではアンテナ本体の固定状態が確実に保持されるアンテナ装置を提供するものである。
【課題を解決するための手段】
【００１６】
本発明は、建築物平面部に取付けられ、円弧状の係止孔が形成された取付け用ベースと、前記係止孔に嵌脱可能なスライドピンを有し、該スライドピンを介して前記取付け用ベースに取付けられるアンテナ本体と、該アンテナ本体と前記取付け用ベースとを離反方向に付勢する付勢手段とを具備し、前記係止孔は始端孔と終端孔が円弧溝によって連続した形状を有し、前記スライドピンは先端に前記始端孔を挿通可能なフランジ部と、該フランジ部に連続し前記終端孔に嵌合可能な太径部と、該太径部に連続し、前記円弧溝に摺動可能な細径部とを有し、前記フランジ部が前記始端孔の位置で前記アンテナ本体を着脱可能であり、前記細径部が前記円弧溝にある状態で前記アンテナ本体は前記取付け用ベースに対して回転可能であり、前記太径部が前記終端孔に嵌合した状態で前記アンテナ本体が前記取付け用ベースに取付けられたアンテナ装置に係るものである。
【発明の効果】
【００１７】
本発明によれば、建築物平面部に取付けられ、円弧状の係止孔が形成された取付け用ベースと、前記係止孔に嵌脱可能なスライドピンを有し、該スライドピンを介して前記取付け用ベースに取付けられるアンテナ本体と、該アンテナ本体と前記取付け用ベースとを離反方向に付勢する付勢手段とを具備し、前記係止孔は始端孔と終端孔が円弧溝によって連続した形状を有し、前記スライドピンは先端に前記始端孔を挿通可能なフランジ部と、該フランジ部に連続し前記終端孔に嵌合可能な太径部と、該太径部に連続し、前記円弧溝に摺動可能な細径部とを有し、前記フランジ部が前記始端孔の位置で前記アンテナ本体を着脱可能であり、前記細径部が前記円弧溝にある状態で前記アンテナ本体は前記取付け用ベースに対して回転可能であり、前記太径部が前記終端孔に嵌合した状態で前記アンテナ本体が前記取付け用ベースに取付けられたので、工具を使用することなく前記アンテナ本体の着脱が可能であり、又前記取付け用ベースに対して一方向からの前記アンテナ本体の着脱が可能となり室内側からの作業で簡単に着脱が行え、取付け状態では前記アンテナ本体の固定状態が確実に保持される等の優れた効果を発揮する。
【発明を実施するための最良の形態】
【００１８】
以下、図面を参照しつつ本発明を実施する為の最良の形態を説明する。
【００１９】
図１〜図７に於いて、第１の実施の形態について説明する。又、図１〜図７中、図１０中で示したものと同等のものには同符号を付してある。
【００２０】
本発明に係るアンテナ装置１は、主にアンテナ本体３、取付け用ベース１３から構成される。
【００２１】
先ず、前記アンテナ本体３について、図２、図３、図６により説明する。
【００２２】
底板１４の中心にはコネクタ６が突設され、前記底板１４の中心を中心とする円周上に複数（図示では２個）のスライドピン１５，１５が円周等分した位置に突設されている。
【００２３】
該スライドピン１５はスライド軸部１６と該スライド軸部１６の先端に形成されたフランジ部１７とを有し、前記スライド軸部１６は更に段差軸となっており、前記フランジ部１７に連続する太径部１６ａと、該太径部１６ａに連続する細径部１６ｂを有している。
【００２４】
前記太径部１６ａは前記フランジ部１７に対して小径となっており、前記細径部１６ｂは前記太径部１６ａに対して小径となっている。又、該太径部１６ａは軸長Ｌ１を有し、前記細径部１６ｂは軸長Ｌ２を有し、該軸長Ｌ２は、前記取付け用ベース１３の板厚より若干大きくなっている。
【００２５】
次に、前記取付け用ベース１３について図４、図５、図７により説明する。
【００２６】
前記取付け用ベース１３の中心には、アンテナケーブルが挿通する充分大きい通孔１８が穿設され、前記取付け用ベース１３の中心を中心とする円周上に円弧状の長孔である係止孔１９が穿設されている。該係止孔１９が設けられる円周の直径は前記スライドピン１５が設けられている円周の直径と同じとなっている。
【００２７】
前記係止孔１９の一端（始端）には始端孔２１が形成され、他端（終端）には終端孔２２が形成され、前記始端孔２１と前記終端孔２２とは円弧溝２３によって連続されている。前記始端孔２１の直径は、前記フランジ部１７の直径よりも大きく、前記終端孔２２の直径は前記太径部１６ａが嵌脱自在な様に該太径部１６ａの直径より僅かに大きくなっている。又、前記円弧溝２３の溝幅は、前記細径部１６ｂが摺動自在な様に該細径部１６ｂの直径より僅かに大きくなっており、前記太径部１６ａの直径より小さくなっている。
【００２８】
前記取付け用ベース１３には、中心に対して対称な位置に一対の付勢手段２４が設けられている。該付勢手段２４は図７に見られる様に、天井側（図１中上側）に突出する様に設けられたスプリングハウジング２５を有し、該スプリングハウジング２５は中空構造となっており内部に圧縮スプリング２６が圧縮状態で収納され、又前記スプリングハウジング２５の下側にはプッシュ部材２７が出入り自在に設けられると共に上側には鍔部２７ａが形成され、抜脱が拘束されている。前記プッシュ部材２７は前記取付け用ベース１３の下面より突出しており、又前記圧縮スプリング２６により下方に付勢され、前記プッシュ部材２７の可動ストロークは、前記太径部１６ａ、前記細径部１６ｂの合計軸長（Ｌ１＋Ｌ２）以上あることが好ましい。
【００２９】
尚、前記付勢手段２４は３以上設けられても良く、又前記アンテナ本体３側に設けられても、前記取付け用ベース１３側と前記アンテナ本体３側の両方に設けられても良く、或は前記付勢手段２４として板バネが用いられ、該板バネが前記取付け用ベース１３と前記アンテナ本体３の底面間に設けられても良い。更に、前記プッシュ部材２７に代え球体が用いられても良い。
【００３０】
以下、第１の実施の形態でのアンテナ装置の取付け、取外し手順について説明する。
【００３１】
前記天井板２にアンテナ装置取付け孔３１を穿設し、該アンテナ装置取付け孔３１からアンテナケーブル（図示せず）を垂下させ、該アンテナケーブルの先端にコネクタ（図示せず）を取付けておく。前記アンテナ装置取付け孔３１は、後述する様に、前記スライドピン１５の動きに干渉しない大きさとする。
【００３２】
前記アンテナ装置取付け孔３１の中心に合せて、前記取付け用ベース１３を位置決めし、固定螺子３２により、前記取付け用ベース１３を前記天井板２の下面に取付ける。前記アンテナケーブルを前記コネクタ（図示せず）を介して前記コネクタ６に接続させる。
【００３３】
前記アンテナ本体３の前記底板１４を前記取付け用ベース１３に対向させ、前記スライドピン１５を前記始端孔２１に挿通する。前記プッシュ部材２７の先端が前記底板１４に当接し、前記アンテナ本体３を更に押上げると、前記圧縮スプリング２６が撓んで前記プッシュ部材２７が引込む。前記底板１４が前記取付け用ベース１３に接触する程度押込むと、前記細径部１６ｂが前記円弧溝２３に嵌合する位置となり、前記アンテナ本体３を回転させると、前記細径部１６ｂが前記始端孔２１から前記円弧溝２３に嵌入し、該円弧溝２３に沿って移動する。
【００３４】
前記細径部１６ｂが前記終端孔２２に達した状態で、前記アンテナ本体３を離すと、前記圧縮スプリング２６の復元力で前記プッシュ部材２７が突出し、前記太径部１６ａが前記終端孔２２に嵌合する。前記太径部１６ａが前記終端孔２２に嵌合することで、前記アンテナ本体３の取付けが完了する。
【００３５】
前記太径部１６ａと前記終端孔２２との嵌合状態は、前記圧縮スプリング２６によって保持され、嵌合状態から脱するには前記アンテナ本体３を押上げ、更に回転しなければならない。従って、前記アンテナ本体３の取付け状態は、安定したものとなる。
【００３６】
図８、図９により第２の実施の形態を説明する。
【００３７】
第２の実施の形態では、天井板２が例えば石膏ボードの様に、脆く、強度がない場合に、当て板３３を用いて取付け用ベース１３を前記天井板２に取付ける。
【００３８】
前記取付け用ベース１３、前記天井板２を挿通した固定螺子３２を前記当て板３３に螺着する。前記取付け用ベース１３と前記当て板３３とで前記天井板２を挾持することで、前記取付け用ベース１３が固定される。尚、前記当て板３３の形状としては、前記取付け用ベース１３と同等のものであっても良く、或は図９に示される様な短冊状の当て板３３を２枚用いて固定しても良い。
【００３９】
尚、上記実施の形態ではアンテナ装置１を天井に設けた例を示したが、壁面等、所要の平面に設ける場合にも同様に実施可能であることは言う迄もない。
【図面の簡単な説明】
【００４０】
【図１】本発明の第１の実施の形態を示す一部破断正面図である。
【図２】本発明の第１の実施の形態に係るアンテナ本体を示す正面図である。
【図３】本発明の第１の実施の形態に係るアンテナ本体を示す平面図である。
【図４】図１のＡ−Ａ矢視図である。
【図５】本発明の第１の実施の形態に係る取付け用ベースの側面図である。
【図６】前記アンテナ本体に設けられるスライドピンの拡大図である。
【図７】前記取付け用ベースに設けられる付勢手段の断面図である。
【図８】本発明の第２の実施の形態を示す一部破断正面図である。
【図９】本発明の第２の実施の形態に使用される当て板の平面図である。
【図１０】従来のアンテナ装置の取付け状態を示す一部破断正面図である。
【符号の説明】
【００４１】
１              アンテナ装置
２              天井板
３              アンテナ本体
６              コネクタ
１４            底板
１５            スライドピン
１６            スライド軸部
１６ａ          太径部
１６ｂ          細径部
１７            フランジ部
１９            係止孔
２１            始端孔
２２            終端孔
２３            円弧溝
２４            付勢手段
２６            圧縮スプリング
【図１】
2007180908.tif 000003
【図２】
2007180908.tif 000004
【図３】
2007180908.tif 000005
【図４】
2007180908.tif 000006
【図５】
2007180908.tif 000007
【図６】
2007180908.tif 000008
【図７】
2007180908.tif 000009
【図８】
2007180908.tif 000010
【図９】
2007180908.tif 000011
【図１０】
2007180908.tif 000012